(57)【特許請求の範囲】
【請求項１】
ＴＤＭＡフレームを用いてデータ通信を行う無線通信システムにおいて、
前記ＴＤＭＡフレーム内に定常的に設けてあるランダムアクセスチャネル用のスロットの一部または全部を、一時的にアクジション専用のスロットに変更し、アクジション完了後に、当該アクジション専用のスロットをもとのランダムアクセスチャネル用のスロットに戻す基地局と、
前記変更時、かつアクジションを行う必要がある場合に、指定位置にアクジションバーストを送信する複数の加入者局と、
を備え、
前記基地局にあっては、
ランダムアクセスチャネルにアクジションバーストの送信を許可するどうかを示す情報およびデータバーストの割り当て情報を含む報知制御情報を各加入者局に対して通知し、一方、ランダムアクセスチャネルのバーストを受信した場合、現在のランダムアクセスチャネルの設定を確認し、アクジションバーストの送信を許可していれば、受信中のバーストをアクジションバーストと判断し、アクジションを実行し、
前記各加入者局にあっては、
自局がアクジションバーストの送信を必要としている場合、前記基地局から受け取った報知制御情報に基づいて現在のランダムアクセスチャネルの設定を確認し、アクジションバーストの送信が許可されていれば、アクジションバーストを送信し、さらに、前記基地局から受け取ったアクジション結果に基づいてデータの送受信位置を設定し、前記報知制御情報により割り当てられたデータバーストのタイミングでデータの送受信を行うことを特徴とする無線通信システム。
【請求項２】
ＴＤＭＡフレームを用いた基地局および複数の加入者局間の通信方法において、
前記ＴＤＭＡフレーム内に定常的に設けてあるランダムアクセスチャネル用のスロットの一部または全部を、一時的にアクジション専用のスロットに変更し、アクジション完了後に、当該アクジション専用のスロットをもとのランダムアクセスチャネル用のスロットに戻すこととし、
前記基地局の処理として、
ランダムアクセスチャネルにアクジションバーストの送信を許可するかまたはランダムアクセスバーストを指定するかを判断する判断ステップと、
前記判断結果およびデータバーストの割り当て情報を含む報知制御情報を各加入者局に対して通知する通知ステップと、
ランダムアクセスチャネルのバーストに含まれるユニークワードを検出した場合に、現在のランダムアクセスチャネルの設定を確認し、アクジションバーストを許可していなければ、受信中のバーストをランダムアクセスバーストと判断して受け取り、一方、許可していれば、受信中のバーストをアクジションバーストと判断して受け取り、アクジションを実行する受信ステップと、
データバーストのタイミングでデータの送受信を行うデータ送受信ステップと、
を含むことを特徴とする通信方法。
【請求項３】
ＴＤＭＡフレームを用いた基地局および複数の加入者局間の通信方法において、
前記ＴＤＭＡフレーム内に定常的に設けてあるランダムアクセスチャネル用のスロットの一部または全部を、一時的にアクジション専用のスロットに変更し、アクジション完了後に、当該アクジション専用のスロットをもとのランダムアクセスチャネル用のスロットに戻すこととし、
前記各加入者局の処理として、
前記基地局から受け取る報知制御情報に基づいて、現在のランダムアクセスチャネルの設定がランダムアクセスバースト指定かまたはアクジションバースト許可かを確認するバースト確認ステップと、
前記ランダムアクセスバースト指定でかつ自局がランダムアクセスバーストの送信を必要としている場合に、ランダムアクセスバーストを送信するランダムアクセスバースト送信ステップと、
前記アクジションバースト許可でかつ自局がアクジションバーストの送信を必要としている場合に、アクジションバーストを送信し、さらに、基地局から受け取るアクジション結果に基づいてデータの送受信位置を設定するアクジションバースト送信ステップと、
前記報知制御情報により割り当てられるデータバーストのタイミングでデータの送受信を行うデータ送受信ステップと、
を含むことを特徴とする通信方法。
【請求項４】
ＴＤＭＡフレームを用いた基地局および複数の加入者局間の通信方法において、
前記ＴＤＭＡフレーム内に定常的に設けてあるランダムアクセスチャネル用のスロットの一部または全部を、一時的にアクジション専用のスロットに変更し、アクジション完了後に、当該アクジション専用のスロットをもとのランダムアクセスチャネル用のスロットに戻すこととし、
前記基地局の処理として、
ランダムアクセスチャネルにアクジションバーストを許可するかまたはランダムアクセスバーストを指定するかを判断する判断ステップと、
前記判断結果およびデータバーストの割り当て情報を含む報知制御情報を各加入者局に対して通知する通知ステップと、
ランダムアクセスチャネルのバーストに含まれるユニークワードを検出した場合に、現在のランダムアクセスチャネルの設定を確認し、アクジションバーストを許可していなければ、受信中のバーストをランダムアクセスバーストと判断して受け取り、一方、許可していれば、受信中のバーストをアクジションバーストと判断して受け取り、アクジションを実行する受信ステップと、
データバーストのタイミングでデータの送受信を行うデータ送受信ステップと、
を含み、
前記各加入者局の処理として、
前記基地局から受け取った報知制御情報に基づいて、現在のランダムアクセスチャネルの設定がランダムアクセスバースト指定かまたはアクジションバースト許可かを確認するバースト確認ステップと、
前記ランダムアクセスバースト指定でかつ自局がランダムアクセスバーストの送信を必要としている場合に、ランダムアクセスバーストを送信するランダムアクセスバースト送信ステップと、
前記アクジションバースト許可でかつ自局がアクジションバーストの送信を必要としている場合に、アクジションバーストを送信し、さらに、基地局から受け取ったアクジション結果に基づいてデータの送受信位置を設定するアクジションバースト送信ステップと、
前記報知制御情報により割り当てられたデータバーストのタイミングでデータの送受信を行うデータ送受信ステップと、
を含むことを特徴とする通信方法。
【発明の詳細な説明】
【０００１】
【発明の属する技術分野】
本発明は、ＴＤＭＡ（Time Division Multiple Access）方式を採用する無線通信システムに関するものであり、特に、ランダムアクセスチャネルを用いてアクジションバーストを送信することで基地局および加入者局間の送信遅延時間を測定する無線通信システムおよびその通信方法に関するものである。
【０００２】
【従来の技術】
以下、アクジションにより送信遅延時間を計測する従来の通信方法について説明する。上記従来の通信方法としては、たとえば、特開昭６０−１７８７２８号公報に記載された「衛星通信方式」がある。図５は、従来の通信方法で用いられるＴＤＭＡフレームを示す図である。
【０００３】
図５において、ＦＲＢ（Frame Reference Burst）は基地局から送信される基準バーストであり、ＡＣＱ（アクジション専用スロット）は加入者局がＦＲＢを基準としてアクジションバースト（ＡＣＢ：Acquisition Burst）を送信するタイムスロットであり、ＤＢ（Data Burst）０〜ＤＢｎはデータ通信用バーストであり、ＤＢ'０〜ＤＢ'ｎは再割り当て後のデータ通信用バーストである。
【０００４】
ここで、上記従来の通信方法の動作について説明する。まず、基地局では、加入者局の立ち上げ時に、ＴＤＭＡフレーム内にアクジション専用スロットを設け、アクジションを行う加入者局では、アクジションバーストを、アクジション専用スロットを用いて送信する。その後、アクジションバーストは、たとえば、衛星で折り返され、加入者局がこれを受け取ることで衛星までの送信遅延時間を計測する。もしくは、当該アクジションバーストを基地局が受信し、当該基地局が、基準バーストからの遅延時間を測定することで加入者局との送信遅延時間を計測し、その計測結果を加入者局に対して伝える。
【０００５】
そして、アクジションが終了した段階でアクジション専用スロットが不要となるため、アクジション専用スロットをデータ通信用に解放し、ＤＢ０〜ＤＢｎを含めてスロットの再割り当てを行い、以降、ＤＢ'０〜ＤＢ'ｎを用いてデータのやり取りを行う。従来の通信方法においては、このようにＴＤＭＡフレーム内のタイムスロットを有効利用する。
【０００６】
図６は、従来の通信方法を実行した場合の加入者局の処理を示すフローチャートである。まず、加入者局では、基地局から送られてくる基準バーストの受信位置を設定する（ステップＳ１０１）。基準バーストは、定期的に送信されるので、その周期を把握しておく。つぎに、加入者局では、基準バースト内の特定パターンであるユニークワードを検出することで、基準バーストを正常に受信する（ステップＳ１０２，Ｙｅｓ）。なお、ユニークワードを検出できない場合（ステップＳ１０２，Ｎｏ）には、基準バーストの受信位置を再設定する。
【０００７】
つぎに、加入者局では、受け取った基準バーストから情報領域に格納されている報知制御情報を取り出す（ステップＳ１０３）。そして、現在の処理が、イニシャルアクジションかどうかを確認し（ステップＳ１０４）、そうでない場合は（ステップＳ１０４，Ｎｏ）、直接、データの送受信を行う（ステップＳ１０８）。
【０００８】
一方、ステップＳ１０４の処理において、イニシャルアクジションの場合（ステップＳ１０４，Ｙｅｓ）、加入者局では、アクジションバーストを送信し（ステップＳ１０５）、その後、イニシャルアクジションの完了を待つ（ステップＳ１０６，Ｎｏ）。そして、イニシャルアクジションが完了した段階で（ステップＳ１０６，Ｙｅｓ）、加入者局および基地局間の送信遅延時間に基づいてデータの送受信位置を設定し（ステップＳ１０７）、その後、データの送受信を行う（ステップＳ１０８）。
【０００９】
このように、従来の加入者局においては、ＴＤＭＡフレーム単位に上記処理を繰り返し実行する。
【００１０】
【発明が解決しようとする課題】
しかしながら、上記、従来の通信方法においては、イニシャルアクジション終了後にアクジション専用スロットをデータ通信に開放し、スロットの再割り当てを行うため、タイムスロットの再割り当て処理におけるタイミングの切り替え時に、データ通信が一時的に継続できなくなる可能性がある、という問題があった。
【００１１】
また、データ通信中に基地局からアクジションを指示する場合には、データバーストの割り当て情報を変更する必要があるため、データ通信を、一旦、停止する必要がある。すなわち、アクジション専用スロットを一度データ通信に開放し、再度アクジション専用スロットを設けるためには、切り替えタイミングが必要となり、このタイミングの変更で、データ通信の継続が妨げられる場合がある、という問題があった。
【００１２】
本発明は、上記に鑑みてなされたものであって、アクジションを行う場合と行わない場合でＴＤＭＡフレームを切り替えた場合においても、データ通信を停止することなく、当該データ通信を正常かつ継続的に行える無線通信システムおよびその通信方法を得ることを目的とする。
【００１３】
【課題を解決するための手段】
上述した課題を解決し、目的を達成するために、本発明にかかる無線通信システムにあっては、ＴＤＭＡフレーム内に定常的に設けてあるランダムアクセスチャネル用のスロットの一部または全部を、一時的にアクジション専用のスロットに変更し、アクジション完了後に、当該アクジション専用のスロットをもとのランダムアクセスチャネル用のスロットに戻す基地局と、前記変更時、かつアクジションを行う必要がある場合に、指定位置にアクジションバーストを送信する複数の加入者局と、を備え、前記基地局にあっては、ランダムアクセスチャネルにアクジションバーストの送信を許可するどうかを示す情報およびデータバーストの割り当て情報を含む報知制御情報を各加入者局に対して通知し、一方、ランダムアクセスチャネルのバーストを受信した場合、現在のランダムアクセスチャネルの設定を確認し、アクジションバーストの送信を許可していれば、受信中のバーストをアクジションバーストと判断し、アクジションを実行し、前記各加入者局にあっては、自局がアクジションバーストの送信を必要としている場合、前記基地局から受け取った報知制御情報に基づいて現在のランダムアクセスチャネルの設定を確認し、アクジションバーストの送信が許可されていれば、アクジションバーストを送信し、さらに、前記基地局から受け取ったアクジション結果に基づいてデータの送受信位置を設定し、前記報知制御情報により割り当てられたデータバーストのタイミングでデータの送受信を行うことを特徴とする。
【００１４】
つぎの発明にかかる通信方法にあっては、ＴＤＭＡフレーム内に定常的に設けてあるランダムアクセスチャネル用のスロットの一部または全部を、一時的にアクジション専用のスロットに変更し、アクジション完了後に、当該アクジション専用のスロットをもとのランダムアクセスチャネル用のスロットに戻すこととし、前記基地局の処理として、ランダムアクセスチャネルにアクジションバーストの送信を許可するかまたはランダムアクセスバーストを指定するかを判断する判断ステップと、前記判断結果およびデータバーストの割り当て情報を含む報知制御情報を各加入者局に対して通知する通知ステップと、ランダムアクセスチャネルのバーストに含まれるユニークワードを検出した場合に、現在のランダムアクセスチャネルの設定を確認し、アクジションバーストを許可していなければ、受信中のバーストをランダムアクセスバーストと判断して受け取り、一方、許可していれば、受信中のバーストをアクジションバーストと判断して受け取り、アクジションを実行する受信ステップと、データバーストのタイミングでデータの送受信を行うデータ送受信ステップと、を含むことを特徴とする。
【００１５】
つぎの発明にかかる通信方法において、ＴＤＭＡフレームを用いた基地局および複数の加入者局間の通信方法において、前記ＴＤＭＡフレーム内に定常的に設けてあるランダムアクセスチャネル用のスロットの一部または全部を、一時的にアクジション専用のスロットに変更し、アクジション完了後に、当該アクジション専用のスロットをもとのランダムアクセスチャネル用のスロットに戻すこととし、各加入者局の処理として、前記基地局から受け取る報知制御情報に基づいて、現在のランダムアクセスチャネルの設定がランダムアクセスバースト指定かまたはアクジションバースト許可かを確認するバースト確認ステップ（後述する実施の形態のステップＳ１〜Ｓ４に相当）と、前記ランダムアクセスバースト指定でかつ自局がランダムアクセスバーストの送信を必要としている場合に、ランダムアクセスバーストを送信するランダムアクセスバースト送信ステップ（ステップＳ４，Ｓ１０，Ｓ１１に相当）と、前記アクジションバースト許可でかつ自局がアクジションバーストの送信を必要としている場合に、アクジションバーストを送信し、さらに、基地局から受け取るアクジション結果に基づいてデータの送受信位置を設定するアクジションバースト送信ステップ（ステップＳ４〜Ｓ８に相当）と、前記報知制御情報により割り当てられるデータバーストのタイミングでデータの送受信を行うデータ送受信ステップ（ステップＳ９に相当）と、を含むことを特徴とする。
【００１６】
つぎの発明にかかる通信方法において、ＴＤＭＡフレームを用いた基地局および複数の加入者局間の通信方法において、前記ＴＤＭＡフレーム内に定常的に設けてあるランダムアクセスチャネル用のスロットの一部または全部を、一時的にアクジション専用のスロットに変更し、アクジション完了後に、当該アクジション専用のスロットをもとのランダムアクセスチャネル用のスロットに戻すこととし、基地局の処理として、ランダムアクセスチャネルにアクジションバーストを許可するかまたはランダムアクセスバーストを指定するかを判断する判断ステップ（ステップＳ２１，Ｓ２２に相当）と、前記判断結果およびデータバーストの割り当て情報を含む報知制御情報を各加入者局に対して通知する通知ステップ（ステップＳ２３，Ｓ２４に相当）と、ランダムアクセスチャネルのバーストに含まれるユニークワードを検出した場合に、現在のランダムアクセスチャネルの設定を確認し、アクジションバーストを許可していなければ、受信中のバーストをランダムアクセスバーストと判断して受け取り、一方、許可していれば、受信中のバーストをアクジションバーストと判断して受け取り、アクジションを実行する受信ステップ（ステップＳ２５〜Ｓ２８に相当）と、データバーストのタイミングでデータの送受信を行うデータ送受信ステップ（ステップＳ２９に相当）と、を含み、前記各加入者局の処理として、前記基地局から受け取った報知制御情報に基づいて、現在のランダムアクセスチャネルの設定がランダムアクセスバースト指定かまたはアクジションバースト許可かを確認するバースト確認ステップと、前記ランダムアクセスバースト指定でかつ自局がランダムアクセスバーストの送信を必要としている場合に、ランダムアクセスバーストを送信するランダムアクセスバースト送信ステップと、前記アクジションバースト許可でかつ自局がアクジションバーストの送信を必要としている場合に、アクジションバーストを送信し、さらに、基地局から受け取ったアクジション結果に基づいてデータの送受信位置を設定するアクジションバースト送信ステップと、前記報知制御情報により割り当てられたデータバーストのタイミングでデータの送受信を行うデータ送受信ステップと、を含むことを特徴とする。
【００１７】
【発明の実施の形態】
以下に、本発明にかかる無線通信システムおよび通信方法の実施の形態を図面に基づいて詳細に説明する。なお、この実施の形態によりこの発明が限定されるものではない。
【００１８】
実施の形態１．
図１は、本発明にかかる無線通信システムの全体構成を示す図である。図１において、１は基地局であり、２ａ，２ｂ，２ｃは加入者局である。
【００１９】
また、図２は、本実施の形態の無線通信システムおよび通信方法で用いられるＴＤＭＡフレームを示す図である。図２において、ＦＲＢ（Frame Reference Burst）は基地局１から送信される基準バーストであり、ＲＡＣ（Random Access Channel）は複数のタイムスロットで構成され、各加入者局から基地局１への通信を行うためのランダムアクセスチャネルであり、ＲＡＢ（Random Access Burst）０〜ＲＡＢｋは各加入者局から送信されたランダムアクセスバーストであり、ＡＣＢ（Acquisition Burst）０〜ＡＣＢｌは各加入者局から送信されるアクジションバーストであり、ＤＢ（Data Burst）０〜ＤＢｍ，ＤＢ０〜ＤＢｎは複数の加入者局と基地局１の間でやり取りされるデータバーストであり、上段はアクジションを行わない場合のＴＤＭＡフレーム構成であり、下段はアクジションを行う場合のＴＤＭＡフレーム構成である。
【００２０】
本実施の形態では、従来のように、起動時または起動時以外のアクジションが必要なときにアクジション専用のスロットを設け、アクジション完了後にそのスロットをデータ通信用に開放するのではなく、図２に示すように、定常的に設けてあるランダムアクセスチャネルのスロット（ＲＡＣ：ＲＡＢ０〜ＲＡＢｋ）を一時的にアクジション専用のスロット（ＡＣＢ０〜ＡＣＢｌ）に変更し、アクジション完了後にそのスロットをもとのランダムアクセスチャネルのスロットに戻す。これにより、データバーストのタイミングを変更する必要がなくなるため、データ通信の継続性を損なうことなく、任意のタイミングでアクジションを実行できる。また、ランダムアクセスチャネルを、通常のランダムアクセス用のスロットまたはアクジション専用のスロットに、任意に切り替えられるようにしたので、スロットの有効利用を図ることができる。
【００２１】
ここで、上記通信方法を実現する無線通信システムの動作を、図面を用いて詳細に説明する。まず、図２の上段に示すアクジションを行わない場合のＴＤＭＡフレームを用いて、基地局１から各加入者局方向（「下り」もしくは「下り方向」と呼ぶ）の通信を行う場合、基地局１では、固定割り当てスロットを各加入者局に対して個別に割り当て、割り当てたスロットを用いてデータバースト（ＤＢ０〜ＤＢｍ）を送信する。なお、下り方向の割り当ては必ずしも必要ない場合もある。
【００２２】
一方、各加入者局から基地局１方向（「上り」もしくは「上り方向」と呼ぶ）の通信を行う場合は、基地局１が、上り方向の通信で使うべきスロットを各加入者に対して個別に割り当て、そして、その情報を各加入者局に対して通知し、各加入者局では、割り当てられたスロットにデータバースト（ＤＢ０〜ＤＢｍ）を送信する。なお、固定割り当てスロットの割り当て情報（制御データ）は、データバーストか基準バーストに付加して基地局１から各加入者局に送信される。
【００２３】
また、ランダムアクセスチャネルについては、各加入者局が、事前の割り当てなしで上り方向のランダムアクセスバーストを送ることができるスロットであり、たとえば、上り下り割り当てスロットを要求する制御用データを送る場合や、固定スロットの割り当てなしで通信データを送りたい場合に、ランダムアクセスバーストを作成して送信する。なお、ランダムアクセスチャネルのいずれのスロットを用いて送信するかは、各加入者局がランダムに決定する。ただし、割り当てが無く範囲内のどのスロットに送信してもかまわないことから、他の加入者局が送信したバーストと競合する場合があるため、このような場合には、基地局で受け取ることはできずにそのバーストは消失する。消失後は、ランダムなフレーム間隔を置いて再送することにより競合の繰り返しを避ける。
【００２４】
つぎに、図２の下段に示すアクジションを行う場合のＴＤＭＡフレームを用いて、ランダムアクセスチャネルのすべてもしくは一部を、アクジションバースト専用に割り当てる場合について説明する。なお、固定割り当てスロットのデータバースト（ＤＢ０〜ＤＢｎ）への割り当てと通信については、アクジションを行わない場合と同様のためその説明を省略する。
【００２５】
図３は、各加入者局におけるアクジション手順を示すフローチャートである。なお、ここでは、簡単のため加入者局２ａの動作について説明するが、加入者局２ｂおよび２ｃについても同様に動作する。また、ランダムアクセスチャネルをアクジションバースト専用のスロットに割り当てたことについては、下り制御データによって、基地局１から各加入者局に事前に通知される。したがって、ここでは、アクジションの必要がありアクジションバースト専用のスロットが割り当てられるのを待っていた加入者局が、図３に示すアクジション手順を実施し、基地局１および加入者局間の送信遅延時間を得る。
【００２６】
まず、加入者局２ａでは、基地局１から送られてくる基準バーストの受信位置を設定する（ステップＳ１）。基準バーストは、定期的に送信されるので、その周期を把握しておく。つぎに、加入者局２ａでは、基準バースト内の特定パターンであるユニークワードを検出することで、基準バーストを正常に受信する（ステップＳ２，Ｙｅｓ）。なお、ユニークワードを検出できない場合（ステップＳ２，Ｎｏ）には、基準バーストの受信位置を再設定する。
【００２７】
つぎに、加入者局２ａでは、受け取った基準バーストから情報領域に格納されている報知制御情報を取り出す（ステップＳ３）。報知制御情報には、ランダムアクセスチャネルがアクジションバースト許可かランダムアクセスバースト指定かを示す情報、データバーストの各加入者局に対する割り当て情報、およびその他の制御情報、が含まれる。
【００２８】
つぎに、加入者局２ａでは、受け取った報知制御情報に基づいて、現在の設定がランダムアクセスバースト指定か、またはアクジションバースト許可か、を確認する（ステップＳ４）。そして、ランダムアクセスバースト指定の場合（ステップＳ４，Ｎｏ）、自局がランダムアクセスバーストの送信を必要としていれば（ステップＳ１０，Ｙｅｓ）、作成したランダムアクセスバーストを送信し（ステップＳ１１）、その後、データバーストのタイミングでデータの送受信を行う（ステップＳ９）。一方、ランダムアクセスバーストの送信を必要としていない場合には（ステップＳ１０，Ｎｏ）、ランダムアクセスを行わずに、データバーストのタイミングでデータの送受信を行う（ステップＳ９）。なお、加入者局２ａでは、ランダムアクセスバーストを使用して、制御データやユーザデータの通信を行うことができる。
【００２９】
一方、ステップＳ４の処理において、アクジションバースト許可の場合（ステップＳ４，Ｙｅｓ）、加入者局２ａでは、自局がアクジションバーストの送信を必要としているかを確認する（ステップＳ５）。そして、アクジションバーストを送信する必要がない場合（ステップＳ５，Ｎｏ）、データバーストのタイミングでデータの送受信を行う（ステップＳ９）。一方、アクジションバーストを送信する必要がある場合には（ステップＳ５，Ｙｅｓ）、作成したアクジションバーストを送信する（ステップＳ６）。
【００３０】
そして、加入者局２ａでは、アクジションの完了をまち（ステップＳ７，Ｎｏ）、アクジションが完了し基地局１から送信遅延時間を受け取った段階で（ステップＳ７，Ｙｅｓ）、当該送信遅延時間に基づいてデータの送受信位置を再設定し（ステップＳ８）、データバーストのタイミングでデータの送受信を行う（ステップＳ９）。加入者局２ａでは、上記図３の処理をフレーム単位に繰り返し実行する。
【００３１】
このように、上記加入者局２ａは、基地局１から受け取る報知制御情報から、ランダムアクセスチャネルがアクジションバースト許可かランダムアクセスバースト指定かを判断し、アクジションバースト許可の場合に、ランダムアクセスチャネルを用いてアクジションバーストを送信する。これにより、アクジション終了後にアクジションバースト専用のスロットをデータ通信に開放する必要がなくなり、スロットの再割り当て（タイミングの切り替え）を行う必要もなくなるため、データ通信を正確かつ継続的に実行できる。
【００３２】
図４は、基地局１におけるＴＤＭＡフレームの送受信手順を示すフローチャートである。まず、基地局１では、基準バーストの送信位置を設定し（ステップＳ２１）、その後、ランダムアクセスチャネルにてアクジションバーストを許可するかどうかを判断する（ステップＳ２２）。ここでは、ＴＤＭＡフレーム単位に周期的にアクジションバーストを許可することとしてもよいし、任意のタイミングでアクジションバーストを許可することとしてもよい。
【００３３】
ステップＳ２２の処理において、たとえば、アクジションバーストを許可しない場合（ステップＳ２２，Ｎｏ）、基地局１では、通常どおり、ランダムアクセスバースト指定の状態で基準バーストを送信し、アクジションバーストを許可する場合には（ステップＳ２２，Ｙｅｓ）、その旨を制御情報として基準バーストに付加し（ステップＳ２３）、当該基準バーストを各加入者局に対して通知する（ステップＳ２４）。
【００３４】
つぎに、基地局１では、ランダムアクセスチャネルのバーストに含まれるユニークワードを検出した場合（ステップＳ２５，Ｙｅｓ）、現在ランダムアクセスチャネルにアクジションバーストを許可しているかどうかを確認する（ステップＳ２６）。なお、ランダムアクセスチャネルに含まれるユニークワードを検出できない場合には（ステップＳ２５，Ｎｏ）、データバーストのタイミングでデータの送受信を行う。
【００３５】
そして、ステップＳ２６の処理において、アクジションバーストを許可していない場合（ステップＳ２６，Ｎｏ）、基地局１では、現在受信中のバーストを、ランダムアクセスバーストと判断して受け取り（ステップＳ２８）、一方、許可している場合には（ステップＳ２６，Ｙｅｓ）、現在受信中のバーストを、アクジションバーストと判断して受け取る（ステップＳ２７）。その後、基地局１では、いずれかのバーストを受信後、データバーストのタイミングでデータの送受信を行う（ステップＳ２９）。なお、アクジションバーストを受け取った場合には、基地局１および加入者局間の送信遅延時間を測定し、すなわち、基準となる基地局１のタイミングからどの程度ずれているかを算出し、当該加入者に対してその測定結果を報知制御情報に付加して送信する。測定方法としては、たとえば、数回のアクジションバーストを受け取り、それらを用いて送信遅延時間を測定する方法が考えられる。基地局１では、上記図４の処理をフレーム単位に繰り返し実行する。
【００３６】
このように、上記基地局１では、定期的またはランダムに、ランダムアクセスチャネルに対してアクジションバーストを許可することができるため、ランダムアクセスバースト指定およびアクジションバースト許可の切り替えを実行することができる。また、ランダムアクセスチャネルを用いてアクジションバーストを送信することとしたため、アクジション終了後にアクジションバースト専用のスロットをデータ通信に開放する必要がなく、スロットの再割り当て（タイミングの切り替え）を行う必要もなくなるため、データ通信を正確かつ継続的に実行できる。
【００３７】
【発明の効果】
以上、説明したとおり、本発明によれば、定常的に設けてあるランダムアクセスチャネルのスロット（ＲＡＣ：ＲＡＢ０〜ＲＡＢｋ）を一時的にアクジション専用のスロット（ＡＣＢ０〜ＡＣＢｌ）に変更し、アクジション完了後にそのスロットをもとのランダムアクセスチャネルのスロットに戻す構成とした。これにより、データバーストのタイミングを変更する必要がなくなるため、データ通信の継続性を損なうことなく、任意のタイミングでアクジションを実行可能な無線通信システムを得ることができる、という効果を奏する。また、ランダムアクセスチャネルを、通常のランダムアクセス用のスロットまたはアクジション専用のスロットに、任意に切り替えられる構成としたので、スロットの有効利用を図ることが可能な無線通信システムを得ることができる、という効果を奏する。
【００３８】
つぎの発明によれば、定常的に設けてあるランダムアクセスチャネルのスロットを一時的にアクジション専用のスロットに変更し、アクジション完了後にそのスロットをもとのランダムアクセスチャネルのスロットに戻すこととした。これにより、データバーストのタイミングを変更する必要がなくなるため、データ通信の継続性を損なうことなく、任意のタイミングでアクジションを実行可能な通信方法を得ることができる、という効果を奏する。
【００３９】
つぎの発明によれば、基地局から受け取る報知制御情報から、ランダムアクセスチャネルがアクジションバースト許可かランダムアクセスバースト指定かを判断し、アクジションバースト許可の場合に、ランダムアクセスチャネルを用いてアクジションバーストを送信することとした。これにより、アクジション終了後にアクジションバースト専用のスロットをデータ通信に開放する必要がなくなり、スロットの再割り当て（タイミングの切り替え）を行う必要もなくなるため、データ通信を正確かつ継続的に実行可能な通信方法を得ることができる、という効果を奏する。
【００４０】
つぎの発明によれば、定期的またはランダムに、ランダムアクセスチャネルに対してアクジションバーストを許可することができるため、ランダムアクセスバースト指定およびアクジションバースト許可の切り替えを実行可能な通信方法を得ることができる、という効果を奏する。また、ランダムアクセスチャネルを用いてアクジションバーストを送信することとしたため、アクジション終了後にアクジションバースト専用のスロットをデータ通信に開放する必要がなく、スロットの再割り当て（タイミングの切り替え）を行う必要もなくなるため、データ通信を正確かつ継続的に実行可能な通信方法を得ることができる、という効果を奏する。
【図面の簡単な説明】
【図１】  本発明にかかる無線通信システムの全体構成を示す図である。
【図２】  本発明の無線通信システムおよび通信方法で用いられるＴＤＭＡフレームを示す図である。
【図３】  各加入者局におけるアクジション手順を示すフローチャートである。
【図４】  各加入者局におけるＴＤＭＡフレームの送受信手順を示すフローチャートである。
【図５】  従来の通信方法で用いられるＴＤＭＡフレームを示す図である。
【図６】  従来の通信方法を実行した場合の加入者局の処理を示すフローチャートである。
【符号の説明】
１  基地局、２ａ，２ｂ，２ｃ  加入者局。
【図１】
0003660593.tif 000002
【図２】
0003660593.tif 000003
【図３】
0003660593.tif 000004
【図４】
0003660593.tif 000005
【図５】
0003660593.tif 000006
【図６】
0003660593.tif 000007